(57)【特許請求の範囲】
【請求項１】
遊技者がパチンコ球を使用して遊技を行うための遊技盤が装着されて使用される機枠であって、それの前側において作業者により着脱可能に前記遊技盤が装着されるものと、
その機枠に設けられ、遊技者の操作に応じて、その機枠に装着された遊技盤に向かってパチンコ球を発射する発射装置と、
前記機枠の高さ方向において互いに隣接した状態でその機枠の前面を覆うガラス扉と前皿部扉とであって、共に、前記機枠の高さ方向に延びる回動軸線まわりの回動によりその機枠に対して開閉可能とされており、前記ガラス扉は、それの閉状態において、前記機枠に装着された遊技盤の前面に部分的に設定された遊技領域をそれの前側から透視可能に覆うものであり、一方、前記前皿部扉は、前記発射装置により発射されたパチンコ球が前記遊技盤の当たり穴に入ることに応じて賞品として払い出されたパチンコ球を貯留する貯留機能を発揮する前皿部を有するものと
を含む遊技機であって、
前記ガラス扉と前記前皿部扉とのうちガラス扉のみが、それの閉状態において、前記機枠に装着された遊技盤の前面を覆い、
前記遊技盤は、共に前記機枠の高さ方向に延びて一対を成す第１側辺および第２側辺を有し、
前記機枠は、前記遊技盤が装着されるために前記第１側辺および前記第２側辺がそれぞれ取り付けられる第１取付部および第２取付部を有し、
前記第１取付部は、前記機枠において前記回動軸線に近い位置に設けられる一方、前記第２取付部は、前記機枠において前記回動軸線から遠い位置に設けられ、
前記遊技盤を前記第１側辺まわりに回動させることが可能であるように前記第１側辺を前記第１取付部に取り付けるために、前記機枠は、前面係合部と板ばねとを、前記機枠の厚さ方向においてすきまを形成する姿勢で有し、
前記前面係合部は、位置が固定されているとともに、前記第１側辺が前記第１取付部に取り付けられている状態で、前記第１側辺の前面に係合し、
前記板ばねは、前記第１側辺が前記第１取付部に取り付けられている状態で、前記第１側辺の裏面に弾性的に係合し、
前記第２側辺を前記第２取付部に取り付けるために、前記第２取付部は、前記機枠の前面に突起を有し、一方、前記第２側辺は、前記突起が嵌り入る貫通穴と、前記遊技盤の前面に取り付けられて前記貫通穴を前面側において閉塞する取付板とを有し、
前記第２側辺が前記第２取付部に取り付けられている状態で、前記取付板の裏面に前記突起の先端面が接触し、
前記第２側辺が前記第２取付部に取り付けられた後に、前記第２側辺が前記第２取付部から離脱することを選択的に阻止するために、ロック部材が前記機枠に設けられ、
前記ロック部材は、回転操作可能であるとともに、軸部と、その軸部の先端に設けられた、回転非対称形状を有する握り部とを有し、かつ、前記突起から前面側に突出して前記取付板を貫通し、それにより、前記握り部が前記取付板の前面から露出し、
前記取付板は、前記握り部の形状に対応する形状を有する係合穴を有し、その係合穴と前記握り部とが、前記軸部の軸方向に見た場合に、互いに一致する状態においては、前記握り部が前記係合穴を貫通し、それにより、前記遊技盤を前記機枠からリリースすることが可能であり、前記係合穴と前記握り部とが、前記軸部の軸方向に見た場合に、互いに交差する状態においては、前記握り部が前記係合穴を貫通することが阻止され、それにより、前記遊技盤が前記機枠にロックされる遊技機。
【発明の詳細な説明】
【０００１】
【発明の属する技術分野】
本発明は、パチンコ機、アレンジボール遊技機等、遊技者がパチンコ球を使用して遊技を行うための遊技盤が装着されて使用される遊技機に関するものであり、特に、機枠を有するとともに、その機枠に遊技盤が、その機枠の前側において作業者により着脱可能に装着される形式の遊技機に関するものである。
【０００２】
【従来の技術】
上記形式の遊技機は、一般に、後述の、機枠と、発射装置と、ガラス扉と、前皿部扉とを含むように構成される。
【０００３】
機枠は、遊技者がパチンコ球を使用して遊技を行うための遊技盤が装着されて使用される。この形式の遊技機においては、遊技盤が機枠に、その機枠の前側において作業者により着脱可能に装着される。
【０００４】
発射装置は、遊技者の操作に応じて、機枠に装着された遊技盤に向かってパチンコ球を発射するように構成される。
【０００５】
ガラス扉と前皿部扉とは、機枠の高さ方向において互いに隣接した状態でその機枠の前面を覆うように構成される。それらガラス扉と前皿部扉とは、共に、機枠の高さ方向に延びる回動軸線まわりの回動によりその機枠に対して開閉可能とされている。ガラス扉は、それの閉状態において、機枠に装着された遊技盤の前面に部分的に設定された遊技領域をそれの前側から透視可能に覆うように構成される。一方、前皿部扉は、発射装置により発射されたパチンコ球が遊技盤の当たり穴に入ることに応じて賞品として払い出されたパチンコ球を貯留する貯留機能を発揮する前皿部を有するように構成される。
【０００６】
図１２には、この形式の遊技機の一従来例が正面図で示されている。同図においては、機枠、遊技盤、発射装置、ガラス扉、前皿部扉および前皿部がそれぞれ、符号２００，２０２，２０４，２０６，２０８および２１０で示されている。発射装置２０４は、遊技者により操作される操作ハンドル２１２と連動するように構成されている。
【０００７】
この従来の遊技機においては、前皿部２１０が、前皿部扉２０８の前面において上下に並んだ上皿部２１４と下皿部２１６とを含むように構成されている。発射装置２０４は、発射すべきパチンコ球を発射位置において保持する保持具２１８を有する。その保持具２１８には、発射すべきパチンコ球が上皿部２１４から１個ずつ供給される。
【０００８】
発射装置２０４は、その供給されたパチンコ球を、図示しない発射具により、保持具２１８に沿って、斜め上に発射するように構成されている。その発射されたパチンコ球は、保持具２１８から放出された後、遊技盤２０２に取り付けられたレール２２０に最初に接触し、その後、そのレール２２０に沿って進行することにより、遊技盤２０２の中央に配置された遊技領域に誘導される。
【０００９】
【発明が解決しようとする課題】
この種の遊技機においては、一般に、遊技盤２０２の最下端位置が、主にレール２２０の最下端位置により決まる。レール２２０の最下端位置を高く設定すれば、遊技盤２０２の最下端位置も高く設定することが可能であるが、レール２２０の最下端位置は、発射装置２０４により発射されたパチンコ球が最初にレール２２０に適正に接触する適正接触状態が保証されるように設定される。
【００１０】
ここに、「適正接触状態」とは、パチンコ球がレール２２０に最初に接触する際の角度が十分に小さいために、その接触によってレール２２０からパチンコ球に大きな反発力（すなわち、パチンコ球をレール２２０から離間させる力）が生じない状態を意味する。一方、レール２２０は、パチンコ球の導入部である直線部と、それに後続する曲線部とを含むように構成されている。そして、その「適正接触状態」を実現するためには、レール２２０のうちの直線部が、そのレール２２０のうちの曲線部に近似する円弧に接して前記発射位置を通過する一接線に沿って延びるように設計することが重要である。
【００１１】
さらに、この種の遊技機においては、一般に、前皿部扉２０８の最上端位置が、主に前皿部２１０の高さ寸法であってパチンコ球の貯留能力を左右するものによって決まる。ガラス扉２０６の最下端位置を低く設定するためには、前皿部２１０の高さ寸法を短く設定すればよいのであるが、そうすると、前皿部２１０によるパチンコ球の貯留能力が低下する傾向がある。
【００１２】
一方、前皿部扉２０８の最上端位置が高く設定されれば、それに伴ってガラス扉２０６の最下端位置も高く設定されることとなる。
【００１３】
そして、図１２に示す従来の遊技機においては、前記適正接触状態を保証しつつ、前皿部扉２０８の貯留能力を確保するために、同図に示すように、遊技盤２０２の最下端位置が前皿部扉２０８の最上端位置より低く設定され、それに伴って遊技盤２０２の最下端位置がガラス扉２０６の最下端位置より低く設定されていた。
【００１４】
この従来の遊技機は、前述のように、遊技盤２０２が機枠２００に、その機枠２００の前側において作業者により着脱可能に装着される。
【００１５】
しかしながら、この従来の遊技機においては、上述のように、遊技盤２０２の最下端位置が前皿部扉２０８の最上端位置より低く設定されていた。遊技盤２０２がガラス扉２０６のみならず前皿部扉２０８によっても覆われるようにされていたのである。そのため、遊技盤２０２の着脱作業は、ガラス扉２０６のみならず前皿部扉２０８をも開いた状態で行うことが不可欠であった。図１３には、遊技盤２０２の最下端位置と、ガラス扉２０６の最下端位置と、前皿部扉２０８の最上端位置との間における高さの関係が側面断面図で示されている。
【００１６】
そのため、この従来の遊技機においては、遊技盤２０２の着脱作業すなわち交換作業が必ずガラス扉２０６の開閉作業と前皿部扉２０８の開閉作業とを伴い、よって、遊技盤２０２の交換作業を十分には高い効率で行うことができなかった。
【００１７】
【課題を解決するための手段および発明の効果】
それらの事情を背景として、本発明は、遊技機において遊技盤の交換作業を十分に高い効率を行うことを可能とすることを課題としてなされたものである。
その課題を解決するために、本発明によれば、遊技者がパチンコ球を使用して遊技を行うための遊技盤が装着されて使用される機枠であって、それの前側において作業者により着脱可能に前記遊技盤が装着されるものと、
その機枠に設けられ、遊技者の操作に応じて、その機枠に装着された遊技盤に向かってパチンコ球を発射する発射装置と、
前記機枠の高さ方向において互いに隣接した状態でその機枠の前面を覆うガラス扉と前皿部扉とであって、共に、前記機枠の高さ方向に延びる回動軸線まわりの回動によりその機枠に対して開閉可能とされており、前記ガラス扉は、それの閉状態において、前記機枠に装着された遊技盤の前面に部分的に設定された遊技領域をそれの前側から透視可能に覆うものであり、一方、前記前皿部扉は、前記発射装置により発射されたパチンコ球が前記遊技盤の当たり穴に入ることに応じて賞品として払い出されたパチンコ球を貯留する貯留機能を発揮する前皿部を有するものと
を含む遊技機であって、
前記ガラス扉と前記前皿部扉とのうちガラス扉のみが、それの閉状態において、前記機枠に装着された遊技盤の前面を覆い、
前記遊技盤は、共に前記機枠の高さ方向に延びて一対を成す第１側辺および第２側辺を有し、
前記機枠は、前記遊技盤が装着されるために前記第１側辺および前記第２側辺がそれぞれ取り付けられる第１取付部および第２取付部を有し、
前記第１取付部は、前記機枠において前記回動軸線に近い位置に設けられる一方、前記第２取付部は、前記機枠において前記回動軸線から遠い位置に設けられ、
前記遊技盤を前記第１側辺まわりに回動させることが可能であるように前記第１側辺を前記第１取付部に取り付けるために、前記機枠は、前面係合部と板ばねとを、前記機枠の厚さ方向においてすきまを形成する姿勢で有し、
前記前面係合部は、位置が固定されているとともに、前記第１側辺が前記第１取付部に取り付けられている状態で、前記第１側辺の前面に係合し、
前記板ばねは、前記第１側辺が前記第１取付部に取り付けられている状態で、前記第１側辺の裏面に弾性的に係合し、
前記第２側辺を前記第２取付部に取り付けるために、前記第２取付部は、前記機枠の前面に突起を有し、一方、前記第２側辺は、前記突起が嵌り入る貫通穴と、前記遊技盤の前面に取り付けられて前記貫通穴を前面側において閉塞する取付板とを有し、前記第２側辺が前記第２取付部に取り付けられている状態で、前記取付板の裏面に前記突起の先端面が接触し、
前記第２側辺が前記第２取付部に取り付けられた後に、前記第２側辺が前記第２取付部から離脱することを選択的に阻止するために、ロック部材が前記機枠に設けられ、
前記ロック部材は、回転操作可能であるとともに、軸部と、その軸部の先端に設けられた、回転非対称形状を有する握り部とを有し、かつ、前記突起から前面側に突出して前記取付板を貫通し、それにより、前記握り部が前記取付板の前面から露出し、
前記取付板は、前記握り部の形状に対応する形状を有する係合穴を有し、その係合穴と前記握り部とが、前記軸部の軸方向に見た場合に、互いに一致する状態においては、前記握り部が前記係合穴を貫通し、それにより、前記遊技盤を前記機枠からリリースすることが可能であり、前記係合穴と前記握り部とが、前記軸部の軸方向に見た場合に、互いに交差する状態においては、前記握り部が前記係合穴を貫通することが阻止され、それにより、前記遊技盤が前記機枠にロックされる遊技機が提供される。
本発明によって下記各態様が得られる。各態様は、請求項と同様に、項に区分し、各項に番号を付し、必要に応じて他の項の番号を引用する形式で記載する。これは、本明細書に記載の技術的特徴のいくつかおよびそれらの組合せのいくつかの理解を容易にするためであり、本明細書に記載の技術的特徴やそれらの組合せが以下の態様に限定されると解釈されるべきではない。
【００１８】
（１）  遊技者がパチンコ球を使用して遊技を行うための遊技盤が装着されて使用される機枠であって、それの前側において作業者により着脱可能に前記遊技盤が装着されるものと、
遊技者の操作に応じて、その機枠に装着された遊技盤に向かってパチンコ球を発射する発射装置と、
前記機枠の高さ方向において互いに隣接した状態でその機枠の前面を覆うガラス扉と前皿部扉とであって、共に、前記機枠の高さ方向に延びる回動軸線まわりの回動によりその機枠に対して開閉可能とされており、ガラス扉は、それの閉状態において、前記機枠に装着された遊技盤の前面に部分的に設定された遊技領域をそれの前側から透視可能に覆うものであり、一方、前皿部扉は、前記発射装置により発射されたパチンコ球が前記遊技盤の当たり穴に入ることに応じて賞品として払い出されたパチンコ球を貯留する貯留機能を発揮する前皿部を有するものと
を含む遊技機において、
前記ガラス扉と前記前皿部扉とのうちガラス扉のみが、それの閉状態において、前記機枠に装着された遊技盤の前面を覆うものとしたことを特徴とする遊技機。
この遊技機においては、ガラス扉と前皿部扉とのうちガラス扉のみが、それの閉状態において、機枠に装着された遊技盤の前面を覆うものとされている。
よって、この遊技機によれば、遊技盤の着脱作業すなわち交換作業がガラス扉の開閉作業は伴わざるを得ないが、前皿部扉の開閉作業は伴わずに済むこととなり、その結果、遊技盤の交換作業を十分に高い効率で行うことが可能となる。
（２）  前記遊技領域において複数本の釘が、パチンコ球との衝突によってそれの進路に影響を及ぼすために立設されるとともに、その遊技領域の外周において概して円弧状を成すレールが、前記発射装置により発射されたパチンコ球を前記遊技領域に誘導するために設けられており、前記発射装置が、前記レールに接する一直線であって前記機枠の高さ方向に概して平行に延びるものに沿ってパチンコ球を発射するものとされている（１）項に記載の遊技機。
発射装置につき、図１２に示す前述の従来の遊技機におけるようにパチンコ球を斜め上に発射する斜め発射方式と、機枠の高さ方向に概して平行に延びる方向に発射する方式（斜め発射方式から表現上顕著に区別する便宜上、垂直発射方式という。）とを互いに比較する。
前述のように、前記レールの最下端位置は、発射装置により発射されたパチンコ球が最初に適正に接触する適正接触状態が保証されるように設定される。そのため、図１０に示すように、レールの曲線部に近似する円弧を含む円周Ｃに接して発射装置における発射位置ＬＰを通過する一接線が想定されるが、その接線は、斜め発射方式においては、同図に示すように、発射位置ＬＰ１を通過して延びるとともに、円周Ｃに接する一直線（以下、「第１直線」という。）Ｌ１であり、これに対して、垂直発射方式においては、その第１直線Ｌ１より垂直に近い一直線（以下、「第２直線」という。）Ｌ２とされる。
ここで、円周Ｃとの接点ＣＰにつき、それら第１直線Ｌ１と第２直線Ｌ２とを互いに比較するに、第２直線Ｌ２と円周Ｃとの接点ＣＰ２の方が、第１直線Ｌ１と円周Ｃとの接点ＣＰ１より高い。接点ＣＰ２の方が接点ＣＰ１より高いということは、レールの最下端位置を、垂直発射方式を採用する場合には、斜め発射方式を採用する場合より、高く設定することが容易になるということを意味し、ひいては、遊技盤の最下端位置を、垂直発射方式を採用する場合には、斜め発射方式を採用する場合より、高く設定することが容易になるということを意味する。
ここに、遊技盤の最下端位置を高く設定することが容易になるいうことは、前皿部扉の最上端位置を前述の従来の遊技機におけると同様に設定した場合であっても、遊技盤の最下端位置が前皿部扉の最上端位置より低くならずに済むということを意味する。
そして、このことは、ガラス扉と前皿部扉とのうちガラス扉のみが、それの閉状態において、機枠に装着された遊技盤の前面を覆うものとすることが可能になるということを意味する。
以上説明した知見に基づき、本項に係る遊技機においては、発射装置が、レールに接する一直線であって機枠の高さ方向に概して平行に延びるものに沿ってパチンコ球を発射するものとされている。
したがって、この遊技機によれば、発射装置の発射角度の適正化により、遊技盤の最下端位置を高く設定することが容易となり、その結果、機枠に装着された遊技盤の前面がガラス扉によっては覆われるが、前皿部扉によっては覆われないようにすることが可能になる。
本項において「レールに接する一直線であって機枠の高さ方向に概して平行に延びるもの」は、その直線に沿ってパチンコ球を発射すると、従来の遊技機であって斜め発射方式を採用しているものにおけるパチンコ球の発射角度より垂直に近い発射角度でパチンコ球が発射されることとなる直線を意味する。
その直線と水平線との成す角度θ（それら直線と水平線との間に幾何学的に存在する２つの角度のうち小さい方）であるパチンコ球の発射角度を数値により具体的に例示すれば、その角度θは、４５度以上の角度としたり、５５度以上の角度としたり、６５度以上の角度としたり、７５度以上の角度とすることが可能である。また、その角度θは、７８．５度から前後に１１．５度ずつずれた２つの値により規定される範囲内の角度とすることも可能である。
（３）  前記前皿部扉が、前記前皿部を１つのみ有し、その１つの前皿部によって前記貯留機能を発揮するものである（１）または（２）項に記載の遊技機。
遊技盤の最下端位置を従来の遊技機より低く設定することができない場合には、前皿部扉の最上端位置を従来の遊技機より低く設定すれば、機枠に装着された遊技盤の前面がガラス扉によっては覆われるが、前皿部扉によっては覆われないようにすることが可能になる。
一方、前皿部扉の高さ寸法の割にパチンコ球を貯留できる数が向上すれば、同じ貯留能力（すなわち、パチンコ球を貯留できる数）を確保しつつ、前皿部扉の高さ寸法を短くしてそれの最上端位置を低く設定することが可能となる。
また、前皿部扉における前皿部の構成として、図１２に示す前述の従来の遊技機におけるように、上皿部と下皿部とが互いにすきまを隔てて上下に並ぶ構成、すなわち、互いに独立した２つの前皿部による構成を採用した場合に対し、１つの前皿部による構成、すなわち、それら上皿部と下皿部とが合体した構成を採用した場合には、部品点数の削減、無効スペースの削減等により、前皿部扉の高さ寸法の割に多くのパチンコ球を貯留することが容易となる傾向がある。
以上説明した知見に基づき、本項に係る遊技機においては、前皿部扉が、前皿部を１つのみ有し、その１つの前皿部によって貯留機能を発揮するものとされている。
したがって、この遊技機によれば、前皿部の構成の適正化により、前皿部扉の最上端位置を低く設定することが容易となり、その結果、機枠に装着された遊技盤の前面がガラス扉によっては覆われるが、前皿部扉によっては覆われないようにすることが可能になる。
（４）  前記遊技盤が、互いに平行に延びて一対を成す第１および第２側辺を有するものであり、前記機枠が、前記遊技盤が装着されるために前記第１および第２側辺がそれぞれ取り付けられる第１および第２取付部を有し、その第１取付部は、前記機枠の前面に対して傾斜した方向に前記遊技盤がその機枠に対して移動させられることと、前記第１側辺まわりに前記遊技盤が回動させられることとは許容するが、その第１側辺が前記第１取付部から前記機枠の厚さ方向に離脱することは阻止する状態で、その第１側辺に係合する係合機構を有するものである（１）ないし（３）項のいずれかに記載の遊技機。
この遊技機においては、遊技盤の一対の側辺の一方である第１側辺と、機枠の一対の取付部であって遊技盤の一対の側辺がそれぞれ取り付けられるもののうち、その第１側辺が取り付けられる第１取付部との取付構造が、機枠の前面に対して傾斜した方向に遊技盤がその機枠に対して移動させられることと、第１側辺まわりに遊技盤が回動させられることとは許容するが、その第１側辺が第１取付部から遊技盤の厚さ方向に離脱することは阻止する状態で、それら第１側辺と第１取付部とが互いに係合するように構成されている。その係合を行うための係合機構は、第１取付部に設けられている。
したがって、この遊技機によれば、作業者は、第１側辺を第１取付部に取り付けるために、第１側辺を第１取付部に位置決めした後にあえて第１側辺を第１取付部に固定する作業を行うことが不可欠ではなくなる。
よって、この遊技機によれば、第１側辺を第１取付部に取り付ける作業を単純化することが容易となる。
本項において「一対の側辺」および「一対の取付部」はそれぞれ、例えば、共に機枠の高さ方向に延びるように構成したり、共に機枠の幅方向（すなわち横方向）に延びるように構成したり、それら以外の方向に延びるように構成することが可能である。
（５）  前記遊技盤が、共に前記機枠の高さ方向に延びて一対を成す第１および第２側辺を有するものであり、前記機枠が、前記遊技盤が装着されるために前記第１および第２側辺がそれぞれ取り付けられる第１および第２取付部を有し、その第１取付部は、前記機枠の前面に対して傾斜し、かつ、前記回動軸線に対して平行である方向に前記遊技盤がその機枠に対して移動させられることと、前記第１側辺まわりに前記遊技盤が回動させられることとは許容するが、その第１側辺が前記第１取付部から前記機枠の厚さ方向に離脱することは阻止する状態で、その第１側辺に係合する係合機構を有するものである（１）ないし（３）項のいずれかに記載の遊技機。
この遊技機においては、遊技盤の一対の側辺の一方である第１側辺と、機枠の一対の取付部であって遊技盤の一対の側辺がそれぞれ取り付けられるもののうち、その第１側辺が取り付けられる第１取付部との取付構造が、機枠の前面に対して傾斜し、かつ、前記回動軸線に対して平行である方向に遊技盤がその機枠に対して移動させられることと、第１側辺まわりに遊技盤が回動させられることとは許容するが、その第１側辺が第１取付部から遊技盤の厚さ方向に離脱することは阻止する状態で、それら第１側辺と第１取付部とが互いに係合するように構成されている。その係合を行うための係合機構は、第１取付部に設けられている。
したがって、この遊技機によれば、作業者は、第１側辺を第１取付部に取り付けるために、第１側辺を第１取付部に位置決めした後にあえて第１側辺を第１取付部に固定する作業を行うことが不可欠ではなくなる。
よって、この遊技機によれば、第１側辺を第１取付部に取り付ける作業を単純化することが容易となる。
（６）  前記係合機構が、前記第１取付部に固定された取付具であって、実質的に剛体として前記第１側辺に係合することにより、その第１取付部と前記第１側辺との、前記機枠の厚さ方向における間にすきまが形成される一方、第１側辺が第１取付部から前記機枠の厚さ方向に離脱しないように、第１側辺を第１取付部に取り付けるものを含む（４）または（５）項に記載の遊技機。
この遊技機によれば、剛性を有する同じ取付具を利用することにより、遊技盤の第１側辺まわりの回動を許容するためのすきまの形成と、第１側辺の第１取付部からの離脱の防止という２つの機能が実現される。
したがって、この遊技機によれば、前記（４）または（５）項における「係合機構」の構成を単純化することが容易となる。
（７）  さらに、前記第１取付部と前記第１側辺とに弾性的に係合することにより、前記すきまが存在するにもかかわらず、前記遊技盤が前記機枠に対してがたつくことを抑制するがた抑制部材を含む（６）項に記載の遊技機。
この遊技機によれば、弾性を有するがた抑制部材を利用することにより、第１取付部と第１側辺との間にすきまが存在するにもかかわらず、遊技盤が機枠に対してがたつくことが抑制される。
（８）  前記第１取付部が、前記機枠において前記回動軸線に近い位置に設けられる一方、前記第２取付部が、その機枠においてその回動軸線から遠い位置に設けられたものである（５）ないし（７）項のいずれかに記載の遊技機。
前記（５）項に記載されているように、第１側辺の第１取付部への取付けに際しては、機枠の前面に対して傾斜し、かつ、ガラス扉の回動軸線に対して平行である方向に遊技盤がその機枠に対して移動させられることが許容される。
よって、この遊技機によれば、遊技盤を機枠に取り付けたり機枠から取り外す作業中に、遊技盤の向きを機枠に対して平行に維持することから回避される。
一方、遊技盤を交換するためにガラス扉を開かせることが必要である角度は、遊技盤が機枠に対して相対的に移動させられる際のその遊技盤の向きに依存する。具体的には、遊技盤が機枠の前面に対して平行な方向に移動させられる場合には、その遊技盤と干渉しないようにするために大きい角度でガラス扉を開かせることが必要であるのに対し、遊技盤が機枠の前面に対して傾斜し、かつ、ガラス扉の回動軸線に対して平行である方向に移動させられる場合には、その遊技盤と干渉しないようにするために小さい角度でガラス扉を開かせれば足りる。
以上説明した知見に基づき、本項に係る遊技機においては、第１取付部が、機枠において前記回動軸線に近い位置に設けられる一方、第２取付部が、その機枠においてその回動軸線から遠い位置に設けられている。
したがって、この遊技機によれば、遊技盤を交換する際、その遊技盤が機枠の前面に対して傾斜し、かつ、ガラス扉の回動軸線に対して平行である方向に移動させられることとなり、よって、その遊技盤と干渉しないようにするために小さい角度でガラス扉を開かせれば足りる。
（９）  さらに、前記遊技盤が前記機枠に正規に取り付けられた後に、前記第２側辺が前記第２取付部から離脱することを阻止するためにそれら機枠と遊技盤とを係合させる係合具を含む（４）ないし（８）項のいずれかに記載の遊技機。
この遊技機によれば、その係合具と、前記（４）ないし（８）項のいずれかに係る遊技機における係合機構との共同により、遊技盤がそれの一対の側辺においてそれぞれ、機枠にそれの一対の取付部により取り付けられることとなり、遊技盤を機枠に強固に取り付けることが容易となる。
（１０）  前記遊技領域において複数本の釘が、パチンコ球との衝突によってそれの進路に影響を及ぼすために立設されるとともに、その遊技領域の外周において概して円弧状を成すレールが、前記発射装置により発射されたパチンコ球を前記遊技領域に誘導するために設けられており、前記遊技盤が、作業者により専ら掴まれる掴み部であって、その遊技盤の前面において前記遊技領域からも前記レールからも外れた位置に設けられたものを含む（１）ないし（９）項のいずれかに記載の遊技機。
作業者が遊技盤を運んだりする際には、作業者が、その遊技盤の遊技領域に立設された釘やその遊技領域の外周に配置されたレールに触れたためにそれらの位置や角度（遊技盤の幾何学的形態であって遊技者による遊技の態様を制御するもの）が変わってしまうことがないように留意しなければならない。釘やレールの位置や角度が変わってしまうと、遊技盤を用いた遊技者による遊技が、予定された態様で行われなくなってしまうからである。
しかし、前述の従来の遊技機においては、作業者が遊技盤を専ら掴むための部分が予め用意されていなかったため、作業者は慎重に遊技盤を取り扱うことが必要であった。
これに対して、本項に係る遊技機においては、遊技盤が、作業者により専ら掴まれる掴み部であって、その遊技盤の前面において遊技領域からもレールからも外れた位置に設けられたものを含むものとされている。
したがって、この遊技機によれば、作業者が遊技盤を機枠に取り付けるかまたは機枠から取り外すことが必要であるためにその遊技盤を運ぶことが必要である際に、作業者が掴み部において遊技盤を掴むことが可能となり、よって、それほど慎重にならなくても遊技盤の釘やレールに誤って触れてしまうことを回避し得る。
【００１９】
【発明の実施の形態】
以下、本発明のさらに具体的な実施形態のいくつかを図面に基づいて詳細に説明する。
【００２０】
図１には、本発明の一実施形態であるパチンコ機が斜視図で示されている。このパチンコ機は、機枠１０と、ガラス扉１２と、前皿部扉１４と、発射装置１６（図３参照）とを備えている。すなわち、本実施形態においては、パチンコ機が本発明における「遊技機」の一例を構成しているのである。このパチンコ機はパチンコホールに設置されて使用される。
【００２１】
機枠１０には、それの前側において作業者により着脱可能に遊技盤２０が装着される。遊技盤２０は、それの中央に遊技領域２２が設定されている。この遊技領域２２においては、図示しない複数本の釘が、パチンコ球との衝突によってそれの進路に影響を及ぼすために立設されている。その遊技領域２２の外周においては、概して円弧状を成すレール２６が、発射装置１６により発射されたパチンコ球を遊技領域２２に誘導するために設けられている。
【００２２】
なお付言すれば、パチンコ機は、さらに、発射装置１６により発射されたパチンコ球が遊技盤２０の当たり穴に入るのに応じて賞品としてパチンコ球を払い出す図示しない払い出し装置を備えている。
【００２３】
ガラス扉１２と前皿部扉１４とは、機枠１０の高さ方向において互いに隣接した状態でその機枠１０の前面を覆うように設計されている。それらガラス扉１２と前皿部扉１４とは、共に、機枠１０の高さ方向に延びる回動軸線まわりの回動によりその機枠１０に対して開閉可能とされている。その回動軸線は、本実施形態においては、パチンコ機の一対の側辺のうち向かって左側に位置するものに一致するように設定されている。
【００２４】
ガラス扉１２は、それの閉状態において、機枠１０に装着された遊技盤２０の遊技領域２２をそれの前側から透視可能に覆うように設計されている。
【００２５】
これに対し、前皿部扉１４は、前記払い出し装置により払い出されたパチンコ球を貯留する貯留機能を発揮する前皿部３０を有するように設計されている。前皿部３０は、前皿部扉１４の前面から前方に張り出させられている。
【００２６】
本実施形態においては、ガラス扉１２と前皿部扉１４とのうちガラス扉１２のみが、それの閉状態において、機枠１０に装着された遊技盤２０の前面を覆うように設計されている。
【００２７】
図２には、ガラス扉１２の最下端位置と、前皿部扉１４の最上端位置と、遊技盤２０の最下端位置との間における高さの関係が側面断面図で示されている。同図から明らかなように、本実施形態においては、遊技盤２０の最下端位置がガラス扉１２の最下端位置よりも前皿部扉１４の最上端位置よりも高くなるように設定されている。
【００２８】
なお付言すれば、図２において符号３１は、ガラス扉１２の一構成要素であるガラス枠を示し、３２は、共に別の構成要素である、互いに平行な２枚のガラス板を示している。
【００２９】
遊技盤２０の最下端位置をガラス扉１２の最下端位置よりも前皿部扉１４の最上端位置よりも高くなるように設定することを可能にした技術は、発射装置１６の発射角度の適正化と、前皿部３０の構成の適正化とである。
【００３０】
図３には、発射装置１６の基本的な構成が概略的に示されている。
【００３１】
この発射装置１６は、よく知られているように、遊技者による操作ハンドル３３（図１参照）の操作加減に応じた強さでパチンコ球を、機枠１０に装着された遊技盤２０に向かって発射する。
【００３２】
そのため、この発射装置１６は、これから発射されるべきパチンコ球を保持する保持具３４を備えている。この保持具３４には、発射動作が完了するごとにパチンコ球が１個ずつ、前皿部３０から供給される。発射装置１６は、さらに、その保持具３４に保持されているパチンコ球に、それが発射されるべき向きに衝撃力を付与し、それにより、パチンコ球を発射する発射具３６を備えている。この発射具３６は、水平な一揺動軸線まわりに揺動させられる。その揺動を実現するために、発射装置１６は、ソレノイド、モータ等のアクチュエータ３８を備えている。
【００３３】
発射装置１６は、パチンコ球を前記レール２６（図１参照）に向かって、前記適正接触状態が保証されるように発射する。発射装置１６は、前述の斜め発射方式ではなく、前述の垂直発射方式を採用している。具体的には、パチンコ球の発射角度、すなわち、保持具３４と水平線との成す角度θが７８．５度に設定されている。
【００３４】
このように、発射装置１６の発射角度が適正化される結果、図１０を用いた前述の説明から明らかなように、レール２６の最下端位置を、斜め発射方式を採用する従来のパチンコ機より高く設定することが可能となり、ひいては、遊技盤２０の最下端位置を斜め発射方式を採用する従来のパチンコ機より高く設定することも可能となった。
【００３５】
これに対し、前皿部３０の構成の適正化は、前皿部扉１４が、図１に示すように、前皿部３０を１つのみ有し、その１つの前皿部３０によって前記貯留機能を発揮するように設計されることにより、実現されている。
【００３６】
この前皿部３０によれば、前述の説明から明らかなように、その前皿部３０を、互いに独立して上下に並んだ上皿部と下皿部とによって構成した従来のパチンコ機に比較し、前皿部扉１４の高さ寸法の割にパチンコ球をその前皿部扉１４において貯留できる数である貯留能力を容易に高め得る。したがって、前皿部扉１４の高さ寸法を短くすることが可能となり、ひいては、前皿部扉１４の最上端位置およびガラス扉１２の最下端位置を従来のパチンコ機より低く設定することが可能となった。
【００３７】
以上の説明から明らかなように、本実施形態によれば、遊技盤２０の最下端位置がガラス扉１２の最下端位置よりも前皿部扉１４の最上端位置よりも低くならずに済む。その結果、本実施形態においては、遊技盤２０の前面がガラス扉１２によっては覆われるが、前皿部扉１４によっては覆われない。よって、本実施形態によれば、図１に示すように、遊技盤２０の着脱作業すなわち交換作業がガラス扉１２の開閉作業は伴うが、前皿部扉１４の開閉作業は伴わずに済むこととなり、その結果、遊技盤２０の交換作業を十分に高い効率で行うことが可能となる。
【００３８】
なお付言すれば、本実施形態においては、図２に示すように、ガラス扉１２の下端部と前皿部扉１４の上端部とがそれらの厚さ方向に互いにオーバラップさせられ、かつ、前皿部扉１４の前方にガラス扉１２が位置させられている。そして、本実施形態においては、前皿部扉１４の最上端位置の方が、ガラス扉１２の最下端位置より高く設定されている。
【００３９】
したがって、本実施形態においては、遊技盤２０の最下端位置がガラス扉１２の最下端位置より高いだけでは足りず、遊技盤２０の最下端位置が前皿部扉１４の最上端位置より高いことも、遊技盤２０の交換作業の効率向上に必要である。いずれにしても、遊技盤２０の交換作業の効率向上には、ガラス扉１２と前皿部扉１４とのうちガラス扉１２のみが遊技盤２０を覆うようにすることが必要十分条件なのである。
【００４０】
次に、遊技盤２０と機枠１０との取付構造を説明する。
【００４１】
図１に示すように、遊技盤２０は、共に機枠１０の高さ方向に延びて一対を成す第１側辺５０と第２側辺５２とを有する。これに対して、機枠１０は、遊技盤２０が装着されるために第１側辺５０と第２側辺５２とそれぞれ取り付けられる第１取付部５６と第２取付部５８とを有する。それら第１および第２取付部５６，５８はそれぞれ、対応する第１および第２側辺５０，５２に沿って延びている。
【００４２】
図１に示すように、第１取付部５６には取付具６０が、第１側辺５０を取り付けるために固定されている。取付具６０は、第１取付部５６の両端部の一方である上端部に配置されている。
【００４３】
図４には、その取付具６０が拡大されて平面断面図で示されている。この取付具６０は、第１側辺５０を第１取付部５６に、機枠１０の前面に対して傾斜し、かつ、ガラス扉１２の回動軸線に対して平行である方向Ａに遊技盤２０が機枠１０に対して移動させられることと、第１側辺５０まわりに遊技盤２０が方向Ｂに回動させられることとは許容するが、その第１側辺５０が第１取付部５６から機枠１０の厚さ方向Ｃに離脱することは阻止する状態で、取り付けるように設計されている。
【００４４】
具体的には、取付具６０は、実質的に剛体として第１側辺５０に係合することにより、第１取付部５６と第１側辺５０との、機枠１０の厚さ方向Ｃにおける間にすきまが形成される一方、第１側辺５０が第１取付部５６から機枠１０の厚さ方向Ｃに離脱しないように、第１側辺５０を第１取付部５６に取り付ける。それら第１取付部５６と第１側辺５０との、機枠１０の厚さ方向Ｃにおける間にすきまが形成される結果、第１側辺５０まわりに遊技盤２０が方向Ｂに回動することが許容される。
【００４５】
遊技盤２０については第１側辺５０まわりの回動が許容されるため、遊技盤２０を機枠１０に取り付ける際には、第１側辺５０を第１取付部５６に斜めに接近させて当接させた後、遊技盤２０を方向Ｂに回動させて機枠１０に対して平行な姿勢に変化させ、その後、機枠１０に当接させれば、遊技盤２０を機枠１０に取り付けることが可能となる。また、遊技盤２０を機枠１０から取り外す際には、遊技盤２０を回動させて機枠１０に対して斜めとなる姿勢とした後、遊技盤２０をそれの面に沿って機枠１０から退避させれば、遊技盤２０を機枠１０から取り外すことが可能となる。
【００４６】
取付具６０の先端部にはガイド部６２が形成されている。このガイド部６２は、取付具６０と機枠１０との、その機枠１０の厚さ方向Ｃにおけるすきまに遊技盤２０が挿入される際に、その挿入を案内する機能を発揮する形状を有している。
【００４７】
以上の説明から明らかなように、本実施形態によれば、作業者は、第１側辺５０を第１取付部５６に取り付けるために、第１側辺５０を第１取付部５６に位置決めした後にあえて第１側辺５０を第１取付部５６に固定する作業を行うことが不可欠ではなくなる。
【００４８】
さらに、本実施形態によれば、第１側辺５０を第１取付部５６に取り付けるために、第１側辺５０からも第１取付部５６からも独立した部材（例えば、締結具としてのねじ）を利用し、その部材をそれら第１側辺５０と第１取付部５６とに係合させる作業工程が不可欠ではなくなる。
【００４９】
よって、本実施形態によれば、第１側辺５０を第１取付部５６に取り付ける作業を単純化することが容易となる。
【００５０】
すなわち、本実施形態においては、取付具６０が前記（４）または（５）項における「係合機構」の一例を構成しているのである。
【００５１】
さらに、本実施形態によれば、剛性を有する同じ取付具６０を利用することにより、遊技盤２０の第１側辺５０まわりの回動を許容するためのすきまの形成と、第１側辺５０の第１取付部５６からの離脱の防止とが実現される。
【００５２】
図４に示すように、第１取付部５６には、さらに、板ばね６４も固定されている。この板ばね６４は、第１取付部５６と第１側辺５０とに弾性的に係合することにより、前記すきまが存在するにもかかわらず、遊技盤２０が機枠１０に対してがたつくことを抑制するように設計されている。板ばね６４は、取付具６０に対向する位置に配置されている。
【００５３】
すなわち、本実施形態においては、板ばね６４が前記（７）項における「がた抑制部材」の一例を構成しているのである。
【００５４】
図１に示すように、本実施形態においては、第１取付部５６が、機枠１０においてガラス扉１２の回動軸線に近い位置に設けられる一方、第２取付部５８が、その機枠１０においてその回動軸線から遠い位置に設けられている。
【００５５】
したがって、本実施形態によれば、前述の説明から明らかなように、遊技盤２０を交換する際、その遊技盤２０が機枠１０の前面に対して傾斜し、かつ、ガラス扉１２の回動軸線に対して平行である方向に移動させられることとなり、よって、その遊技盤２０と干渉しないようにするために小さい角度でガラス扉１２を開かせれば足りる。
【００５６】
その結果、本実施形態によれば、ガラス扉１２を開かせることが必要である角度の減少によっても、遊技盤２０の交換作業の効率が向上する。
【００５７】
以上、第１側辺５０と第１取付部５６との取付構造を説明したが、次に、第２側辺５２と第２取付部５８との取付構造を説明する。
【００５８】
図１に示すように、第２取付部５８の両端部にはそれぞれ、突起７０が形成されている。図５には、それら２個の突起７０のうち上側のものが拡大されて側面断面図で示されている。各突起７０は、遊技盤２０に形成された各係合穴７４に、その遊技盤２０の後方から嵌入させられる。各係合穴７４は遊技盤２０をそれの厚さ方向に貫通させられているが、各取付板７８により、遊技盤２０の前面において閉塞されている。各取付板７８の裏面に各突起７０の先端面が接触することにより、遊技盤２０と機枠１０とがそれらの厚さ方向において相対的に位置決めされる。
【００５９】
突起７０の先端面からねじ８２が突出させられており、遊技盤２０が機枠１０に正規に取り付けられた状態では、そのねじ８２が、その突起７０に対応する取付板７８を貫通する長穴８４を貫通する。この状態で、作業者がナット８６をねじ８２に螺合し、それにより、遊技盤２０を機枠１０に締結する。その結果、遊技盤２０が機枠１０に強固に取り付けられ、機枠１０からの離脱が防止される。
【００６０】
図１に示すように、第２取付部５８における２個の長穴８４は、互いに直交する向きにそれぞれ延びている。これにより、それら２個の長穴８４の一方は、機枠１０の高さ方向における製造ばらつきを吸収し、他方は、機枠１０の幅方向における製造ばらつきを吸収し得ることとなる。
【００６１】
以上の説明から明らかなように、本実施形態においては、ねじ８２とナット８６とが互いに共同して前記（９）項における「係合具」の一例を構成しているのである。
【００６２】
したがって、本実施形態によれば、前述の取付具６０および板ばね６４と、ねじ８２およびナット８６との組合せにより、遊技盤２０が機枠１０に強固に取り付けられることとなる。
【００６３】
図６には、機枠１０に取り付けられる前の遊技盤２０が斜視図で示されている。同図から明らかなように、この遊技盤２０は、作業者により専ら掴まれる掴み部９６が形成されている。掴み部９６は、遊技盤２０の前面において遊技領域２２からもレール２６からも外れた位置に配置されている。しかも、掴み部９６は、作業者が簡単に遊技盤２０を吊り上げることができるように、その遊技盤２０の上部に配置されている。掴み部９６は、遊技盤２０をそれの厚さ方向に貫通させられることによって構成されている。
【００６４】
したがって、本実施形態によれば、作業者が遊技盤２０を機枠１０に取り付けるかまたは機枠１０から取り外すことが必要であるためにその遊技盤２０を運ぶことが必要である場合に、作業者が掴み部９６において遊技盤２０を掴むことが可能となり、よって、それほど慎重にならなくても遊技盤２０の図示しない釘やレール２６に誤って触れてしまうことを回避し得る。
【００６５】
本発明の別の実施形態であるパチンコ機を説明する。ただし、本実施形態は、先の実施形態に対し、図１のパチンコ機において遊技盤２０の第２側辺５２が機枠１０の第２取付部５８に取り付けられる取付構造のみが異なり、他の要素については共通するため、その取付構造のみを詳細に説明し、他の要素については説明を省略する。
【００６６】
図７ないし図１０には、その取付構造が示されている。図７および図９は、図において右側がパチンコ機の前側に、左側がパチンコ機の後側にそれぞれ対応する部分側面断面図であり、図８および図１０は、正面図である。
【００６７】
この取付構造は、概略的に説明すれば、作業者により回転操作されるロック部材１００が機枠１０に取り付けられる一方、そのロック部材１００に係合する係合部材１０２が遊技盤２０に取り付けられることにより構成されている。
【００６８】
図７に示すように、ロック部材１００は、作業者により握られる握り部１１０と、軸部１１２と、その軸部１１２より大径の基部１１４とが互いに同軸に並んで構成されている。ロック部材１００は、本実施形態においては、一体成形品として構成されている。
【００６９】
ロック部材１００は、基部１１４が前記突起７０の内部において回転可能に支持されている。その基部１１４は、突起７０からの離脱が離脱防止部材１２０により防止されている。この離脱防止部材１２０により、ロック部材１００が機枠１０に離脱不能に取り付けられることになるが、離脱防止部材１２０は、着脱可能に機枠１０に取り付けられている。したがって、ロック部材１００を機枠１０から取り外すことが必要になれば、その離脱防止部材１２０を機枠１０から取り外すことにより、ロック部材１００を突起７０から抜き出すことができる。
【００７０】
突起７０の頂部には支持穴１２４が貫通させられており、その支持穴１２４に前記軸部１１２が挿通されている。
【００７１】
図８に示すように、握り部１１０は、それの軸線まわりに非対称な形状（回転体でない形状）を有している。具体的には、扁平状を成している。したがって、握り部１１０は、その回転位置により、遊技盤２０の前面に投影した形状が異なるようになっている。
【００７２】
前記係合部材１０２には係合穴１３０が、ロック部材１００と同軸に貫通させられている。この係合穴１３０も、握り部１１０と同様に、それの軸線まわりに非対称な形状（回転体でない形状）を有している。具体的には、扁平状を成している。ただし、この係合穴１３０は、握り部１１０よりわずかに大きい形状を有している。
【００７３】
したがって、本実施形態においては、図７および図８に示すように、握り部１１０が係合穴１３０と交差する状態では、ロック部材１００により、遊技盤２０が機枠１０にロックされるロック状態となる。一方、図９および図１０に示すように、握り部１１０が係合穴１３０と一致する状態では、遊技盤２０が機枠１０からリリース可能なリリース状態となる。
【００７４】
図１０に示すように、本実施形態においては、遊技盤２０を機枠１０にロックするためには、作業者がロック部材１００を時計方向に回転させるように設計されるとともに、ロック部材１００が係合穴１３０に最大角度である約９０度で交差するロック位置に到達した後には、ロック部材１００がオーバーランすることを防止するためのストッパ１３４が設けられている。本実施形態においては、そのストッパ１３４は、係合部材１０２に一体的に形成された突起として構成されている。
【００７５】
なお付言すれば、本実施形態においては、遊技盤２０を機枠１０からリリースするために作業者がロック部材１００を、図８に示すように、反時計方向に回転させる場合には、ロック部材１００が係合穴１３０に一致するリリ−ス位置に到達しても、それのオーバーランを防止するための工夫は設けられていない。しかし、ストッパ１３４におけると同様なストッパを設けることにより、リリース位置からのオーバーランを防止する工夫を設けることはもちろん可能である。
【００７６】
以上の説明から明らかなように、本実施形態においては、ロック部材１００と係合部材１０２とが互いに共同して前記（９）項における「係合具」の一例を構成しているのである。
【００７７】
本実施形態によれば、その係合部が、遊技盤２０を機枠１０に装着する前においてはその機枠１０が分離させられる分離部材を含まない形式として構成されるため、先の実施形態におけるように、その分離部材、すなわち、例えばナット８６を含む形式を採用する場合とは異なり、作業者は、その係合具を機枠１０と別々に取り扱うことが不要となり、その結果、このことによっても遊技盤２０の交換作業が容易となる。
【００７８】
以上、本発明のいくつかの実施形態を図面に基づいて詳細に説明したが、これらは例示であり、前記［課題を解決するための手段および発明の効果］の欄に記載の態様を始めとして、当業者の知識に基づいて種々の変形、改良を施した他の形態で本発明を実施することが可能である。
【図面の簡単な説明】
【図１】本発明の一実施形態であるパチンコ機をそれのガラス扉１２を開いた状態で示す斜視図である。
【図２】図１のパチンコ機における遊技盤２０の最下端位置とガラス扉１２の最下端位置と前皿部扉１４の最上端位置との間における高さの関係を説明するための部分側面断面図である。
【図３】図１のパチンコ機をそれのガラス扉１２と前皿部扉１４とを一緒に開いた状態で示す斜視図である。
【図４】図１のパチンコ機における機枠１０と遊技盤２０との取付構造の一部を説明するための部分平面断面図である。
【図５】図１のパチンコ機における機枠１０と遊技盤２０との取付構造の別の一部を説明するための部分側面断面図である。
【図６】図１のパチンコ機に装着されて使用される遊技盤２０を示す斜視図である。
【図７】本発明の別の実施形態であるパチンコ機において遊技盤２０の第２側辺５２が機枠１０の第２取付部５８に取り付けられる取付構造を、遊技盤２０が機枠１０にロックされるロック状態で示す部分側面断面図である。
【図８】図７における取付構造をそれのロック状態で示す正面図である。
【図９】図７における取付構造を、遊技盤２０が機枠１０からリリース可能なリリース状態で示す部分側面断面図である。
【図１０】図７における取付構造をそれのリリース状態で示す正面図である。
【図１１】一般的な遊技機が採用し得る斜め発射方式と垂直発射方式とを対比して説明するための正面図である。
【図１２】従来の遊技機を示す正面図である。
【図１３】図１２の遊技機における遊技盤２００の最下端位置とガラス扉２０６の最下端位置と前皿部扉２０８の最上端位置との間における高さの関係を説明するための部分側面断面図である。
【符号の説明】
１０  機枠
１２  ガラス扉
１４  前皿部扉
１６  発射装置
２０  遊技盤
２２  遊技領域
２６  レール
３０  前皿部
５０  第１側辺
５２  第２側辺
５６  第１取付部
５８  第２取付部
６０  取付具
６４  板ばね
８２  ねじ
８６  ナット
９６  掴み部
１００  ロック部材
１０２  係合部材
【図１】
0004796241.tif 000002
【図２】
0004796241.tif 000003
【図３】
0004796241.tif 000004
【図４】
0004796241.tif 000005
【図５】
0004796241.tif 000006
【図６】
0004796241.tif 000007
【図７】
0004796241.tif 000008
【図８】
0004796241.tif 000009
【図９】
0004796241.tif 000010
【図１０】
0004796241.tif 000011
【図１１】
0004796241.tif 000012
【図１２】
0004796241.tif 000013
【図１３】
0004796241.tif 000014